【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
共通の軸に設置される左右一対の大スプロケット及び前記大スプロケットの内側に配置される左右一対の小スプロケットが水の流れ方向の前後に配置され、左右それぞれの前記前後の大スプロケット間にチェーンが掛け回され、また、左右それぞれの前記前後の小スプロケット間にチェーンが掛け回され、前記前後の小スプロケット間のチェーン間に渡すようにして、適宜間隔置きに、直立状態から前後一方向にのみ倒れる羽根が取り付けられ、水の流れ方向に応じて、チェーンの往路進行中の羽根とチェーンの復路進行中の羽根のいずれかが、水流を受けてその直立状態を維持することを可能にすることで、水の流れが逆になっても、前記前後の大スプロケット間に掛け回されるチェーンを介して駆動される発電機の回転軸が常に一定方向に回転することを特徴とする水力発電装置。
【手続補正２】
【補正対象書類名】明細書
【補正対象項目名】全文
【補正方法】変更
【補正の内容】
【発明の詳細な説明】
【発明の名称】水力発電装置
【技術分野】
【０００１】
本発明は水力発電装置に関するものであり、より詳細には、従来の水力発電装置より発電効率が数倍高い水力発電装置に関するものである。
【背景技術】
【０００２】
東北の震災による福島の原発事故以来、自然エネルギーの有効活用が必要不可欠になってきている。自然エネルギーの１つである水力を利用するものとして、従来より種々のタイプの水力発電装置が提案されているが、水の流れが逆流しても発電機の回転軸が常に一定方向に回転するタイプの水力発電装置は提唱されていない。
【先行技術文献】
【特許文献】
【０００３】
【特許文献１】特開２０１１−７０５９号公報
【発明の概要】
【発明が解決しようとする課題】
【０００４】
従来より種々のタイプの水力発電装置が提案されてきているが、水の流れが逆流しても発電機の回転軸の回転方向が常に一定方向に回転するタイプの水力発電装置は提唱されていなかった。そこで本発明は、水の流れが逆になっても発電機の回転軸が常に一定方向に回転するタイプの水力発電装置を提供することを課題とする。
【課題を解決するための手段】
【０００５】
上記課題を解決するための請求項１に記載の発明は、共通の軸に設置される左右一対の大スプロケット及び前記大スプロケットの内側に配置される左右一対の小スプロケットが水の流れ方向の前後に配置され、左右それぞれの前記前後の大スプロケット間にチェーンが掛け回され、また、左右それぞれの前記前後の小スプロケット間にチェーンが掛け回され、前記前後の小スプロケット間のチェーン間に渡すようにして、適宜間隔置きに、直立状態から前後一方向にのみ倒れる羽根が取り付けられ、水の流れ方向に応じて、チェーンの往路進行中の羽根とチェーンの復路進行中の羽根のいずれかが、水流を受けてその直立状態を維持することを可能にすることで、水の流れが逆になっても、前記前後の大スプロケット間に掛け回されるチェーンを介して駆動される発電機の回転軸が常に一定方向に回転することを特徴とする水力発電装置である。
【発明の効果】
【０００６】
本発明は上記のとおりであって、水の流れ方向に応じて、前記チェーンの往路進行中の水車と前記チェーンの復路進行中の水車のいずれかが、その直立状態を維持するので、水の流れ方向が逆になっても、発電機の回転軸は常に一定方向に回転するので、水の流れ方向が変わる可能性のある個所に設置する水力発電装置として好適なる効果がある。
【図面の簡単な説明】
【０００７】
【図１】本発明に係る水力発電装置の構成を示す図である（水の流れが左から右である場合）。
【図２】本発明に係る水力発電装置の構成を示す図である（水の流れが右から左である場合）。
【発明を実施するための形態】
【０００８】
以下、本発明を実施するための形態について、図面を参照しつつ詳細に説明する。図１は、本発明に係る発電装置を筏または船に積み、水流が左から右に流れている水中に、発電機が水没しない程度に沈めて繋留している状態を示す図である。
【０００９】
そこに示されるように、本発明に係る水力発電装置は、共通の軸に設置される左右一対の大スプロケット６及び大スプロケット６の内側に配置される左右一対の小スプロケット５が水の流れ方向の前後に配置され、左右それぞれの前後の大スプロケット６間にチェーン７が掛け回され、また、左右それぞれの前後の小スプロケット５間にチェーン３が掛け回される。そして、前後の小スプロケット５間のチェーン３間に渡すようにして、適宜間隔置きに、直立状態から前後一方向にのみ倒れる羽根１が取り付けられる。
【００１０】
そして、水の流れ方向に応じて、チェーン３の往路進行中の羽根１とチェーン３の復路進行中の羽根１のいずれかが、水流を受けてその直立状態を維持することを可能にすることで、水の流れが逆になっても、前後の大スプロケット６間に掛け回されるチェーン７を介して駆動される発電機１０の回転軸が常に一定方向に回転するようにされる。
【００１１】
羽根１は、水の流れ方向に応じて、チェーン３の往路進行中の羽根１と復路進行中の羽根１のいずれかが、水流を受けてその直立状態を維持する。即ち、各羽根１は、ヒンジピン４を介してチェーン３に取り付けられ、その背後のチェーン３上に、羽根１がチェーン３に対して９０度以上回動することを阻止するストッパー２が設置される。水の流れが逆になっても、発電機の回転軸が常に一定方向に回転することを特徴とするものである。
【００１２】
図１に示されるように、上側のチェーン３の往路進行中の羽根１は、ヒンジピン４がフリーなので、左からの水圧に押されて右に倒れるが、下側のチェーン３の復路進行中の羽根１は、ストッパー２があるので直立状態を維持し、左からの水圧を受けて右に押されて移動し、それが取り付けられているチェーン３は羽根１に引っ張られて一緒に右に移動する。そして、チェーン３に噛み合っている小スプロケット５は、図１において反時計回りに回転する。
【００１３】
小スプロケット５と大スプロケット６は同軸に固定されているため、一体に回転し、大スプロケット６にはチェーン７が噛み合っているので、チェーン７も左方向に移動する。そして、チェーン７は、上側で増速機９のスプロケット８と噛み合っているので、増速機９と連動して発電機１０が回転駆動されて発電する。
【００１４】
図２は水の流れが右から左に変わった場合を示すもので、水流が逆になると、上側の羽根１が水圧で押されて立ち上るが、ストッパー２があるので左に倒れることなく直立状態を維持して水圧を受け、チェーン３を左方向に引っ張っていく。また、下側の羽根１は、今度は右から水圧を受けるので左に倒れるが、その他の部分はすべて、図１の場合と同じ方向に回転する。従って、水流が左から右に、また右から左になっても、発電機１０は常に一方方向に回転して、発電を続ける。
【００１５】
なお、本発電装置は、必要に応じて、チェーン３とチェーン７の長さを変えることで、羽根１及び発電機１０の数を増やしたり、減らしたりすることが可能である。
【符号の説明】
【００１６】
１    羽根
２    ストッパー
３    チェーン
４    ヒンジピン
５    小スプロケット
６    大スプロケット
７    チェーン
８    スプロケット
９    増速機
１０  発電機
【手続補正３】
【補正対象書類名】図面
【補正対象項目名】全図
【補正方法】変更
【補正の内容】
【図１】
2013053614.tif 000001
【図２】
2013053614.tif 000002